(57)【特許請求の範囲】
【請求項１】
Ｘ線を検出するために使用される感光性要素（１４）と、
該感光性要素（１４）を支持するために使用される支持基板（１１）と、
前記感光性要素（１４）と前記支持基板（１１）との間に設けられ、前記Ｘ線が前記支持基板（１１）を透過するのを阻止するために使用されるＸ線阻止要素（１２）と、
前記感光性要素（１４）と前記支持基板（１１）との間に設けられ、前記感光性要素（１４）と密着する導電性ライナ（１３）と、
前記感光性要素（１４）と前記支持基板（１１）との間に設けられた黒色エチレンフィルム（１５）と、を含み、
前記導電性ライナ（１３）は、前記黒色エチレンフィルム（１５）の少なくとも３辺にストライプ状に設けられる、医療診断用検出器（１０）。
【請求項２】
前記感光性要素（１４）は、感光性ガラスパネルである、請求項１に記載の医療診断用検出器（１０）。
【請求項３】
前記導電性ライナ（１３）は、前記感光性要素（１４）と前記Ｘ線阻止要素（１２）との間に設けられる、請求項１に記載の医療診断用検出器（１０）。
【請求項４】
前記導電性ライナ（１３）は、前記感光性要素（１４）及び前記Ｘ線阻止要素（１２）と一体である、請求項３に記載の医療診断用検出器（１０）。
【請求項５】
前記導電性ライナ（１３）は可撓性ライナである、請求項１に記載の医療診断用検出器（１０）。
【請求項６】
前記導電性ライナ（１３）は、前記黒色エチレンフィルム（１５）の４辺にストライプ状に設けられる、請求項１〜５のいずれか一項に記載の医療診断用検出器（１０）。
【発明の詳細な説明】
【技術分野】
【０００１】
本発明は、Ｘ線検出器に関し、特に医療診断用Ｘ線検出器に関する。
【背景技術】
【０００２】
画像診断検査システムとして、Ｘ線診断システムは、医師が診断を容易に行うことを可能にするために、身体を検査し画像データを形成するために広く使用されている。Ｘ線診断システムにおける非常に重要なユニットとして、Ｘ線検出器は、システムによって診断された画像の品質に直接影響を及ぼす。
【０００３】
通常、Ｘ線診断では、Ｘ線検出器は、その内部に設けられた感光性要素（たとえば、ガラスパネル）によって診断対象物を透過するＸ線を検出し、感光性要素により検出したＸ線信号上のデータをデータ収集モジュールによって収集し、その後に、収集したデータを制御基板に送信して、後で収集したデータについて順次撮像処理を行う。
【０００４】
いくつかの既存のＸ線検出器では、支持基板（またはバックボードまたはコールドボードと呼ばれる）、支持基板上に設けられたＸ線ストッパ、アルミニウム基板、アルミニウム基板上に設けられた黒色エチレンフィルム、および感光性要素が設けられている。感光性要素は、アルミニウム基板上に設けられ、アルミニウム基板と密着することにより、アルミニウム基板によって感光性要素から静電気を除去する。
【０００５】
しかし、既存の設計では、アルミニウム基板に密着させるためにパネルが必要なので、アルミニウム基板の加工精度に対する要求が非常に高く、加工難易度と製造コストが高くなる。さらに、このような構造は、外部振動または衝撃がガラスパネルの変形および破砕をもたらすという問題を十分に解決することができない。
【０００６】
上記の問題を解決するためのいくつかの他の試みが既にある。たとえば、アルミニウム基板を設ける代わりに、ガラスパネルの背面に導電性材料を噴霧して、感光性要素から静電気を除去する。しかしながら、噴霧された材料は環境を汚染し、噴霧プロセスのための良好な制御が必要であり、これは検出器の製造の複雑さを増大させ、その結果、製造上の悪影響をもたらす。
【０００７】
したがって、検出器が比較的高く安定した性能を有しつつ、製造の困難さおよびコストを低減することを十分に確実にすることができる、診断用の新しいＸ線画像検出器を提供する必要がある。
【先行技術文献】
【特許文献】
【０００８】
【特許文献１】中国特許第２０３６４７３６７号明細書
【発明の概要】
【０００９】
本発明の一実施形態は、医療診断用検出器を提供する。診断用検出器は、感光性要素、Ｘ線阻止要素、支持基板、および導電性ライナを含む。感光性要素は、Ｘ線を検出するために使用される。Ｘ線阻止要素は、感光性要素を透過するＸ線を阻止するために使用される。支持基板は、Ｘ線阻止要素の下方に設けられ、感光性要素を支持するために使用される。導電性ライナは、感光性要素と支持基板との間に設けられ、感光性要素と密着する。
【００１０】
本発明は、以下の添付の図面を参照しつつ、本発明の実施形態の説明を考慮して、より良く理解することができる。
【図面の簡単な説明】
【００１１】
【図１】本発明による検出器の一実施形態の分解概略図である。
【図２】本発明による検出器の一実施形態の組立概略図である。
【図３】本発明による検出器の導電性ライナの異なる実施形態の設置概略図である。
【図４】本発明による検出器の導電性ライナの異なる実施形態の設置概略図である。
【発明を実施するための形態】
【００１２】
以下、本発明の好適な実施形態について詳細に説明する。実施形態の詳細な説明において、単純かつ簡潔にするために、明細書が実際の実施形態のすべての特徴を詳細に説明することは不可能であることを指摘しておく。いかなる実施形態の実際の実施のプロセスであっても、エンジニアリングプロジェクトまたは設計プロジェクトのプロセスと同様に、開発者の具体的な目標を達成するために、かつ、いくつかのシステム関連またはビジネス関連の制約を満たすために、通常、様々な決定が行われ、それはまた実施形態ごとに変更されることを理解されたい。さらに、このような開発プロセスで成される努力は複雑で時間がかかる場合があるが、本開示で開示された技術内容に基づく設計、製造、および生産などのいくつかの変形は、本発明で開示される内容に関する当業者にとっては単に慣習的な技術装置であり、本発明の開示内容が不十分であるとみなすべきではないこともまた理解できる。
【００１３】
特に明記しない限り、特許請求の範囲および明細書で使用されるすべての技術用語または科学用語は、本発明が属する技術分野の当業者によって一般的に理解されるのと同じ意味を有するべきである。本願の明細書および特許請求の範囲における「第１」、「第２」などの用語は、順番、数または重要性を意味するものではなく、異なる構成要素を区別するためにのみ使用される。単数を表す用語（「ａ」、「ａｎ」など）は、数量の限定を示すものではなく、少なくとも１つの存在を示すものである。「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」などの用語は、「含む」の前の要素または対象物が、「含む」の後に示される要素または対象物ならびにそれらの等価物を包含するが、他の要素または対象物を排除するものではないことを意味している。「結合された」、「接続された」などの用語は、物理的または機械的に接続されることに限定されるものではなく、また直接的または間接的に接続されることに限定されるものでもない。
【００１４】
図１は、本発明による医療診断用検出器１０の一実施形態の分解概略図を示す。図２は、本発明による検出器１０の一実施形態の組立概略図を示す。この実施形態では、検出器１０の構造は単なる例示であり、様々な用途において、検出器１０は、検出器の検出機能を実現するための他の構造または要素（図示せず）も含むことができる。
【００１５】
図１、図２に示すように、検出器１０は、支持基板１１と、Ｘ線ストッパ１２と、導電性ライナ１３と、感光性要素１４と、を備えている。支持基板１１は、検出器１０の下方に設けられ、検出器１０の他の要素または構造を支持する。非限定的な例では、支持基板１１は金属材料で作られ、バックボードと呼ばれたり、コールドボードとして使用されたりする。
【００１６】
Ｘ線ストッパ１２は、支持基板１１の上面（図示せず）に設けられ、すなわち、支持基板１１はＸ線ストッパ１２の下方に設けられている。非限定的な例では、Ｘ線ストッパ１２は、通常、鉛材料またはタングステン材料を含む。検出器１０による検出が行われる間には、Ｘ線ストッパ１２は、Ｘ線が感光性要素１４を透過するのを阻止するために使用され、Ｘ線がバックボード１１をさらに透過して外部環境に侵入し、悪影響を引き起こすことを回避することができる。
【００１７】
Ｘ線ストッパ１２には、導電性ライナ１３が設けられている。感光性要素１４は、診断対象物を透過するＸ線を検出するために使用することができて、導電性ライナ１３上に設けられており、導電性ライナ１３は、感光性要素１４とＸ線ストッパ１２またはバックボード１１との間に位置している。本発明の一実施形態では、導電性ライナ１３は可撓性ライナであり、感光性要素１４はガラスパネルを含むことができる。このように、ガラスパネル１４は、導電性ライナ１３上により容易に設けられて、導電性ライナ１３と密着することができ、導電性ライナ１３は、静電気を接地または除去する役割を果たすことができる。一方、導電性ライナ１３はある程度弾性を有するので、外部振動または衝撃を緩衝して、ガラスパネルの損傷を防止することができる。いくつかの例では、導電性ライナ１３は、任意の適切なライナであってもよく、本発明の実施形態で使用されてもよい。
【００１８】
本実施形態では、導電性ライナ１３はＸ線ストッパ１２上に設けられている。非限定的な例として、導電性ライナ１３を、Ｘ線ストッパ１２と支持基板１１との間に位置するように、支持基板１１上に設けてもよい。
【００１９】
特定の用途では、図１に示すように、導電性ライナ１３は、ガラスパネル１４と支持基板１１との間に設けられた一体構造である。本発明の実施形態は、ガラスパネル１４を透過するＸ線の一部を吸収するための黒色エチレンフィルム１５を選択的に備えることができる。非限定的な例では、本発明の実施形態は、黒色エチレンフィルム１５を備えなくてもよく、たとえば、ガラスパネルの安全性を確保するだけでなくコストも節約するように、導電性ライナ１３を黒色にすることができる。
【００２０】
他の例では、導電性ライナ１３をストライプ状に配置してもよい。一例では、図３に示すように、Ｘ線ストッパ１２上に黒色エチレンフィルムを設け、導電性ライナ１３をエチレンフィルムの３辺にストライプ状に設けて、この構造上にガラスパネルが設けられる。別の例では、図４に示すように、異なる要求に従って、導電性ライナ１３をエチレンフィルムの４辺にストライプ状に設けてもよい。
【００２１】
本発明の実施形態では、検出器１０は、ガラスパネル１４と支持基板１１との間に位置する柔軟性を有する導電性ライナ１３を備える。アルミニウム基板を用いた従来の構造と比較して、本発明の構造ではアルミニウム基板を使用する必要がなく、加工難易度を低くし、コストを節約することができる。一方、導電性ライナ１３を使用しているので、黒色エチレンフィルムを省略して、特定用途ではさらにコストを節約することができる。さらに、ガラスパネル１４と支持基板１１との間に設けられた導電性ライナ１３は、ある程度の可撓性を有するので、外部からの振動または衝撃を緩衝して除去することができ、ガラスパネル１４の損傷をより良く防ぐことができる。また、導電性ライナ１３を用いているので、検出器１０の構造が簡単になり、したがって製造が容易になる。
【００２２】
本発明について特定の実施形態と関連して説明したが、当業者であれば、本発明に対して様々な変更および変形が可能であることを理解することができる。したがって、特許請求の範囲は、本発明の真の趣旨および範囲内で、これらのすべての変更および変形を包含することが意図されていることを認識されたい。
【符号の説明】
【００２３】
１０  医療診断用検出器
１１  支持基板／バックボード
１２  Ｘ線ストッパ
１３  導電性ライナ
１４  感光性要素／ガラスパネル
１５  黒色エチレンフィルム
【図１】
0006609314.tif 000002
【図２】
0006609314.tif 000003
【図３】
0006609314.tif 000004
【図４】
0006609314.tif 000005